(57)【要約】【課題】  物や手などがあたったりして、火災でもない状態で、電動弁が開放してしまうのを防止する。【解決手段】  スプリンクラヘッドが接続された二次側配管の基端側に設けられた電動弁を開閉するスプリンクラ制御盤において、電動弁を開放または閉止するための操作スイッチを設ける。この操作スイッチは、所定時間、例えば３秒以上押されないと、電動弁の開閉を行わない。  スイッチの操作時間が短い場合には、正しく操作する旨の音声警報が出力される。【選択図】  図１
2011087770.tif 000002
【特許請求の範囲】
【請求項１】
スプリンクラヘッドが接続された二次側配管の基端側に設けられた開閉弁を開閉するスプリンクラ制御盤において、
前記開閉弁を開放または閉止するための操作スイッチと、
該操作スイッチが操作された際に計時開始し、操作スイッチが操作されている間は動作するタイマと、
該タイマにより所定時間、前記操作スイッチが操作された状態であることを判別する判別部と、
前記判別部により、前記操作スイッチが所定時間にわたって、操作されたことを判別したら、前記開閉弁を制御する開閉弁制御部とを備えたことを特徴とするスプリンクラ制御盤。
【請求項２】
前記開閉弁制御部により、前記開閉弁が制御される際、前記開閉弁が動作した旨の警報を行う警報部を備えたことを特徴とする請求項１記載のスプリンクラ制御盤。
【請求項３】
前記判別部が、前記タイマが計時開始してから、前記操作スイッチが所定時間にわたって、操作されなかったことを判別したら、警報部が前記操作スイッチを正しく操作する旨の警報を行うことを特徴とする請求項１又は２記載のスプリンクラ制御盤。
【発明の詳細な説明】
【技術分野】
【０００１】
本発明は、スプリンクラ消火設備に設けられるスプリンクラ制御盤に関する。
【背景技術】
【０００２】
建物に設置される消火設備として、特許文献１に示すようなスプリンクラ消火設備がある。このスプリンクラ消火設備は、元弁と、その元弁の二次側に配管を介して設けられるスプリンクラヘッドと、元弁の一次側に配管を介して設けられる給水源としての水道配管と、スプリンクラヘッドが設置される室内に設けられる火災感知器とを備えている。このスプリンクラ消火設備においては、元弁の二次側配管を常時乾式とすることで、室内で漏水が生じるのと、配管内に停滞水が生じるのを防止している。
【０００３】
このスプリンクラ消火設備においては、火災感知器が室内の火災を検知すると、制御盤が元弁を開放するように制御し、スプリンクラヘッド側に水を送る。その後、スプリンクラヘッドが開放すれば、室内に放水され、火災を消火する。
【０００４】
通常は、火災感知器が動作したときに、制御盤が元弁を開放するように制御するが、制御盤のスイッチを押して、手動によって元弁を開放する場合もある。
【先行技術文献】
【特許文献】
【０００５】
【特許文献１】特許第２５１７６８４号公報
【発明の概要】
【発明が解決しようとする課題】
【０００６】
制御盤のスイッチを押すことで、元弁が開放されると、制御盤のスイッチに物や指があたることで、簡単に元弁が開放されてしまう。その場合には、火災でない状態で、元弁の二次側配管に水が送水されることになり、配管内を乾式状態に戻すために、排水処理を行うなどの手間が生じる。
【０００７】
そこで、物や手などがあたったりして、火災でもない状態で、元弁が開放してしまうのを防止することを目的とする。
【課題を解決するための手段】
【０００８】
本発明は、スプリンクラヘッドが接続された二次側配管の基端側に設けられた開閉弁を開閉するスプリンクラ制御盤において、開閉弁を開放または閉止するための操作スイッチと、操作スイッチが操作された際にスタートし、操作スイッチが操作されている間は動作するタイマと、タイマにより所定時間、前記操作スイッチが操作された状態であることを判別する判別部と、判別部により、前記操作スイッチが所定時間にわたって、操作されたことを判別したら、開閉弁を制御する開閉弁制御部とを備えたことを特徴とするものである。
【発明の効果】
【０００９】
本発明は以上のように構成され、操作スイッチが、所定時間にわたって操作されない限り、開閉弁（電動弁）は、開閉されない。このため、操作スイッチに物や手などがあたったりして、火災発生中に、開閉弁が閉止されたり、火災でもない状態で、開閉弁が開放してしまうのを防止することができる。また、操作スイッチは、所定時間にわたって、操作されなかった場合には、操作スイッチを正しく操作する旨の警報を行うので、使用者は、操作の過ちに気づき、次操作で正しく操作スイッチを操作することが可能となる。
【図面の簡単な説明】
【００１０】
【図１】本発明のスプリンクラ制御盤が使用される消火設備のシステムである。
【図２】本発明のスプリンクラ制御盤のブロック図である。
【発明を実施するための形態】
【００１１】
図１、図２に基づいて本実施の形態のスプリンクラ制御盤を説明する。まず図１を使用して、本実施の形態に係るスプリンクラ制御盤７が設置される消火設備のシステムについて説明する。
【００１２】
１は室内の天井に設置されたスプリンクラヘッドである。スプリンクラヘッド１としては、下部に火災時の熱で落下するカバーを備えたコンシールド型のスプリンクラヘッドが使用される。このコンシールド型のスプリンクラヘッド１は、接点機構を有しており、火災時にカバーが落下すると、接点を閉じて、火災信号を出力する。
【００１３】
スプリンクラヘッド１は、二次側配管２に設けられ、二次側配管２の基端側には、開閉弁としての電動弁３が設けられる。電動弁３の一次側には、一次側配管４が設けられ、その基端側には給水源５としての水道配管が設けられる。
【００１４】
６は火災感知器で、スプリンクラヘッド１と同じ室内に設置される。７はスプリンクラ制御盤で、スプリンクラヘッド１や火災感知器６からの火災信号を受信して、火災信号を受信したときに、火災警報を出力するとともに、開閉弁３を開放するように制御する。
【００１５】
室内には、火災感知器６かコンシールド型のスプリンクラヘッド１のいずれか一方が設置されればよい。但し、通常型の接点機構を有しないスプリンクラヘッド１が使用される場合には、火災感知器６が必要となる。
【００１６】
次に、図２を使用して、スプリンクラ制御盤７の構成について説明する。スプリンクラ制御盤７は、操作部１１、タイマ１２、制御部１３（判別部）、開閉弁制御部としての電動弁制御部１４、警報部１５、火災信号受信部１６とから構成されており、各構成要素は制御部１３によって制御される。
【００１７】
操作部１１は、スプリンクラ制御盤７の盤面に設けられた各種操作スイッチの総称である。操作部１１には、電動弁３を開放するための電動弁開放スイッチ１１ａ、電動弁３を閉止するための電動弁閉止スイッチ１１ｂが設けられ、それ以外に、音響停止スイッチ、復旧スイッチ、試験スイッチなどが設けられる。電動弁開放スイッチ１１ａ、電動弁閉止スイッチ１１ｂは、操作スイッチの一例である。
【００１８】
タイマ１２は、電動弁開放スイッチ１１ａ，電動弁閉止スイッチ１１ｂが操作される際、スイッチの長押しされている時間を計測するものである。具体的には、電動弁開放スイッチ１１ａ又は電動弁閉止スイッチ１１ｂが操作された際に計時開始（スタート）し、電動弁開放スイッチ１１ａ，電動弁閉止スイッチ１１ｂが操作されている間は動いて、長押しの時間を計測するものである。タイマ１２は、電動弁開放スイッチ１１ａ，電動弁閉止スイッチ１１ｂが押されなくなった場合は、停止して、時間の計測をやめる。
【００１９】
判別部としての制御部１３は、タイマ１２の計測値をもとに、所定時間、例えば３秒間、電動弁開放スイッチ１１ａ，電動弁閉止スイッチ１１ｂが操作された状態であるかどうかを判別する。
【００２０】
電動弁制御部１４は、制御部１３により、電動弁開放スイッチ１１ａ，電動弁閉止スイッチ１１ｂが所定時間（３秒間）以上にわたって、操作されたことが判別されたら、その操作部１１のスイッチ１１ａ，１１ｂに応じるように電動弁３を制御する。
【００２１】
警報部１５は、電動弁制御部１４により、電動弁３が制御される際、電動弁３が動作した旨の警報を行うものである。ここで、電動弁３が動作した旨の警報とは、「電動弁が開きました」という音声メッセージ、または、「電動弁が閉まりました」という音声メッセージのことである。
【００２２】
この警報部１５は、電動弁開放スイッチ１１ａ，電動弁閉止スイッチ１１ｂの操作時間が所定時間（３秒間）未満であることを制御部１３が判別した場合にも警報を行う。この際に行われる警報は、操作スイッチを正しく操作する旨の警報であり、
例えば、「電動弁を開くには３秒以上押して下さい」という音声メッセージ、または、「電動弁を閉めるには３秒以上押して下さい」という音声メッセージである。
【００２３】
火災信号受信部１６は、スプリンクラヘッド１や火災感知器６からの火災信号を受信するものである。
【００２４】
次にスプリンクラ制御盤７の動作について説明する。まず、室内で火災が発生すると、火災感知器６が動作して、火災信号を出力する。また、コンシールド型のスプリンクラヘッド１も火災信号を出力する。これら火災信号は、スプリンクラ制御盤７の火災信号受信部１６で受信される。火災信号受信部１６が火災信号を受信すると、制御部１３が警報部１５を動作させ、火災警報を行う。
【００２５】
また、スプリンクラ制御盤７は、火災信号を受信すると、電動弁制御部１４から開放信号を出力して、電動弁３へ出力する。開放信号によって電動弁３は開放され、電動弁３の開放により、給水源５側からの水が、スプリンクラヘッド１へと送水され、二次側配管２内に充水される。続いてスプリンクラヘッド１が動作すると、スプリンクラヘッド１から放水が行われ、火災を消火する。
【００２６】
スプリンクラヘッド１の放水によって火災が消火した場合には、スプリンクラ制御盤７の電動弁閉止スイッチ１１ｂを長押し操作して、電動弁３を閉止することが可能である。電動弁閉止スイッチ１１ｂは、二次側配管２およびスプリンクラヘッド１への給水を停止するものであるから、火災発生中には、操作部１１の電動弁閉止スイッチ１１ｂに誤って触れて電動弁３が閉止されないようにするべきである。そこで、本発明においては、電動弁閉止スイッチ１１ｂは、例えば３秒以上にわたって、スイッチが長押しされないと、電動弁３を閉止しないようにしてある。
【００２７】
具体的には、電動弁閉止スイッチ１１ｂが押されると、制御部１３によって、タイマ１２が計時開始（スタート）する。このタイマ１２は、電動弁閉止スイッチ１１ｂが操作されている間は継続して動いており、電動弁閉止スイッチ１１ｂが押されている時間を計測できる。
【００２８】
電動弁閉止スイッチ１１ｂが継続して操作され続けた場合、つまり、タイマ１２により所定時間である３秒間以上、電動弁閉止スイッチ１１ｂが操作された状態であることを制御部（判別部）１３が判別すると、制御部１３は、電動弁制御部１４から閉止信号を出力して電動弁３を閉止するように制御する。
【００２９】
この際、警報部１５からは、電動弁閉止スイッチ１１ｂを正しく操作した旨の警報として、「電動弁が閉まりました」という音声メッセージが出力される。このため、スプリンクラ制御盤７を操作した人は、電動弁３の閉止を確認することができる。
【００３０】
ところで、電動弁閉止スイッチ１１ｂの押す時間が短く、３秒未満であった場合には、電動弁３は閉止されない。この場合には、電動弁閉止スイッチ１１ｂが押された際に、同様に、タイマ１２が計時開始（スタート）するが、電動弁閉止スイッチ１１ｂが押されなくなった時点で、タイマ１２が停止する。制御部１３は、タイマ１２の計測値が、所定時間である３秒を超えたかどうかを判別し、３秒未満であるため、電動弁制御部１４については制御を行わない。
【００３１】
そして、警報部１５から、「電動弁を閉めるには３秒以上押して下さい」という音声メッセージを出力して、スプリンクラ制御盤７の操作者に、操作スイッチの長押しをするように警報する。このため、スプリンクラ制御盤７の操作者は、操作の仕方に不備があったと判断でき、その後の操作で、正しく操作スイッチを操作することが可能となる。
【００３２】
なお、電動弁３の閉止については、電動弁閉止スイッチ１１ｂの３秒以上の長押し操作が必要となるが、電動弁３の開放についても同様であって、電動弁３の開放には、電動弁開放スイッチ１１ａの長押し操作が必要となる。
【００３３】
背景技術で説明したように、乾式のスプリンクラ消火設備においては、二次側配管を乾式状態にする必要があることから、通常状態においては、操作部１１の電動弁開放スイッチ１１ａに誤って手が触れて電動弁３が開放することのないようにするべきである。
【００３４】
そこで、本発明においては、電動弁開放スイッチ１１ａの押す時間が短く、例えば３秒未満であった場合には、電動弁３を開放しないようにしてある。電動弁開放スイッチ１１ａが押された際、タイマ１２がスタートするが、電動弁開放スイッチ１１ａが押されなくなった時点で、タイマ１２が停止する。制御部１３は、タイマ１２の計測値が、所定時間である３秒を超えたかどうかを判別し、３秒未満のときには、電動弁制御部１４については制御を行わないので、電動弁３が開放することはない。このため、操作スイッチに物や手などが一時的にあたったりして、火災でもない状態で、電動弁３が開放してしまうのを防止することができる。
【００３５】
ところで、この場合には、警報部１５から、「電動弁を開くには３秒以上押して下さい」という音声メッセージが出力される。
【００３６】
なお、もしここで実際に、火災感知器６が動作しないような小さな火災が発生したことを、室内の人が発見して、手動で電動弁３を開放するような場合には、この音声メッセージを聞くことで、自分の操作が不十分であると判断できる。そして、次のスイッチ操作で、正しい操作を行うことが可能となる。
【００３７】
電動弁開放スイッチ１１ａが、３秒以上にわたって継続して操作された場合には、タイマ１２により計測値が３秒以上となるので、制御部１３は、電動弁開放スイッチ１１ａの所定時間以上の操作があったものと判別して、電動弁制御部１４から電動弁３を開放するように制御する。この際、警報部１５からは、電動弁開放スイッチ１１ａを正しく操作した旨の警報として、「電動弁が開きました」という音声メッセージが出力される。このため、スプリンクラ制御盤７を操作した人は、電動弁３の開放を確認することができる。
【００３８】
本実施形態においては、タイマを別途設けた場合で説明したが、制御部については、タイマ内蔵のマイコンで構成するようにしてもよい。また、操作スイッチが３秒未満のときに出力される音声メッセージについては、その音声メッセージを聞き漏らすことのないように、話速変換機能を設けて、通常の警報よりも話すスピードを遅くして、音声メッセージを出力するようにしてもよい。
【符号の説明】
【００３９】
１  スプリンクラヘッド、  ２  二次側配管、  ３  電動弁、
４  一次側配管、  ５  給水源、  ６  火災感知器、
７  スプリンクラ制御盤、  １１  操作部、
１１ａ  電動弁開放スイッチ、  １１ｂ  電動弁閉止スイッチ、
１２  タイマ、  １３  制御部、  １４  電動弁制御部、
１５  警報部、  １６  火災信号受信部、  ｔｔ
【図１】
2011087770.tif 000003
【図２】
2011087770.tif 000004